(57)【特許請求の範囲】
【請求項１】
サービス品質（ＱｏＳ）機能強化をサポートするＩＥＥＥ８０２．１１ワイヤレスデータ通信システムのハイブリッドコントローラ（ＨＣ）であって、
当該ＨＣ内にあるステーション・マネージメント・エンティティ（ＳＭＥ）と、
当該ＨＣ内にあり、前記ＳＭＥと前記ＩＥＥＥ８０２．１１ワイヤレスデータ通信システムに参加するワイヤレスステーション（ＷＳＴＡ）のＭＬＭＥとの両方に通信可能に結合された媒体アクセス制御（ＭＡＣ）サブレイヤ・マネージメント・エンティティ（ＭＬＭＥ）と、
を具備し、
前記参加するＷＳＴＡのうちの一つのスケジュール変更に応じて、当該ＨＣ内にある前記ＳＭＥが当該ＨＣ内にある前記ＭＬＭＥへ送信するための要求プリミティブを生成し、該要求プリミティブがスケジュールエレメントを格納する、
ハイブリッドコントローラ。
【請求項２】
前記要求プリミティブが前記参加するＷＳＴＡのうちの一つのアドレスを格納する、請求項１に記載のハイブリッドコントローラ。
【請求項３】
前記ＳＭＥが前記要求プリミティブを前記ＨＣ内にある前記ＭＬＭＥへ送信する、請求項１に記載のハイブリッドコントローラ。
【請求項４】
前記ＳＭＥからの前記要求プリミティブの受信に応じて、前記ＭＬＭＥが前記スケジュールエレメントを格納するスケジュールＱｏＳアクションフレームを作成し、前記作成されたスケジュールＱｏＳアクションフレームを送信する、請求項３に記載のハイブリッドコントローラ。
【請求項５】
請求項１に記載のハイブリッドコントローラを含むワイヤレスデータ通信システムであって、
前記参加するＷＳＴＡのうちの一つの中にあるＭＬＭＥをさらに具備し、
前記参加するＷＳＴＡのうちの一つの中にあるＭＬＭＥが、前記参加するＷＳＴＡのうちの一つによる前記スケジュールＱｏＳアクションフレームの受信に応じて、前記参加するＷＳＴＡのうちの一つの中にあるＳＭＥへ送信するための指示プリミティブを生成する、
ワイヤレスデータ通信システム。
【請求項６】
前記指示プリミティブが前記スケジュールエレメントを含む、請求項５に記載のワイヤレスデータ通信システム。
【請求項７】
請求項１に記載のハイブリッドコントローラであって、
前記参加するＷＳＴＡのうちの一つのスケジュール変更に関係する要求プリミティブに応じて、当該ＨＣ内にある前記ＭＬＭＥが前記要求プリミティブに対する結果を判定し、当該ＨＣ内にある前記ＳＭＥへ送信するための確認プリミティブを生成する、
ハイブリッドコントローラ。
【請求項８】
前記確認プリミティブが前記要求プリミティブに対する前記結果に対応する結果コードを含む、請求項７に記載のハイブリッドコントローラ。
【請求項９】
当該ＨＣ内にある前記ＭＬＭＥが当該ＨＣ内にある前記ＳＭＥへ前記確認プリミティブを送信する、請求項８に記載のハイブリッドコントローラ。
【請求項１０】
ＩＥＥＥ８０２．１１ワイヤレスデータ通信システムのハイブリッドコントローラ（ＨＣ）内でサービス品質（ＱｏＳ）機能強化をサポートする方法であって、
前記ＨＣ内にあるステーション・マネージメント・エンティティ（ＳＭＥ）を動作させ、
前記ＨＣ内にあり、前記ＳＭＥと前記ＩＥＥＥ８０２．１１ワイヤレスデータ通信システムに参加するワイヤレスステーション（ＷＳＴＡ）のＭＬＭＥとの両方に通信可能に結合された媒体アクセス制御（ＭＡＣ）サブレイヤ・マネージメント・エンティティ（ＭＬＭＥ）を動作させ、
前記参加するＷＳＴＡのうちの一つのスケジュール変更に応じて、前記ＨＣ内にある前記ＳＭＥから前記ＨＣ内にある前記ＭＬＭＥへ送信するための要求プリミティブを生成し、該要求プリミティブがスケジュールエレメントを格納する、方法。
【請求項１１】
前記要求プリミティブが前記参加するＷＳＴＡのうちの一つのアドレスを格納する、請求項１０に記載の方法。
【請求項１２】
前記ＳＭＥから前記ＨＣ内にある前記ＭＬＭＥへ前記要求プリミティブを送信することをさらに含む、請求項１１に記載の方法。
【請求項１３】
前記ＳＭＥからの前記要求プリミティブの受信に応じて、前記スケジュールエレメントを格納するスケジュールＱｏＳアクションフレームを作成することと、
前記作成されたスケジュールＱｏＳアクションフレームを送信することと、
をさらに含む、請求項１２に記載の方法。
【請求項１４】
前記参加するＷＳＴＡのうちの一つによる前記スケジュールＱｏＳアクションフレームの受信に応じて、前記参加するＷＳＴＡのうちの一つの中にあるＳＭＥへ送信するための指示プリミティブを生成することをさらに含む、請求項１３に記載の方法。
【請求項１５】
前記指示プリミティブが前記スケジュールエレメントを格納する、請求項１４に記載の方法。
【請求項１６】
請求項１０に記載の方法であって、
前記参加するＷＳＴＡのうちの一つのスケジュール変更に関係する要求プリミティブに応じて、前記要求プリミティブに対する結果を判定し、前記ＨＣ内にある前記ＭＬＭＥから前記ＨＣ内の前記ＳＭＥへ送信するための確認プリミティブを生成する、方法。
【請求項１７】
前記確認プリミティブが前記要求プリミティブに対する前記結果に対応する結果コードを含む、請求項１６に記載の方法。
【請求項１８】
前記ＨＣ内にある前記ＭＬＭＥから前記ＨＣ内にある前記ＳＭＥへ前記確認プリミティブを送信することをさらに含む、請求項１７に記載の方法。
【請求項１９】
前記指示プリミティブが前記スケジュールＱｏＳアクションフレームからのスケジュールエレメントを格納する、請求項５に記載のワイヤレスデータ通信システム。
【請求項２０】
前記ＷＳＴＡ内にある前記ＭＬＭＥから前記ＷＳＴＡ内にある前記ＳＭＥへ前記指示プリミティブを送信することをさらに含む、請求項１９に記載のワイヤレスデータ通信システム。
【発明の詳細な説明】
【技術分野】
【０００１】
本願は２００２年１１月８日に出願された米国特許仮出願第６０／４２５，０９３号の出願日の利益を主張する。
【０００２】
本発明は、一般にワイヤレスデータ通信システムに係わり、特に、ワイヤレスデータ通信システムにおけるサービス品質（ＱｏＳ）の保証に関する。
【背景技術】
【０００３】
データ通信用のワイヤレスローカルエリアネットワーク（ＷＬＡＮ）は、「ワイヤレスフィデリティ」すなわち「ＷｉＦｉ」と呼ばれることがよくある米国電気電子技術者協会（ＩＥＥＥ）８０２．１１−１９９９規格に準拠して現在最も広く実施されている。多数のワーキンググループが現在種々の目的のためこの規格の修正および拡張を開発中である。特に、ＩＥＥＥ８０２．１１ワーキンググループの媒体アクセス制御（ＭＡＣ）エンハンスメントタスクグループ（タスクグループＥ）は、ビデオ、音声およびマルチメディアの高品質配信のためサービス品質（ＱｏＳ）をローカルエリアネットワークに組み込むための作業をしている（ＩＥＥＥ８０２．１１ｅ  ＱｏＳドラフトＤ３．３を参照せよ）。
【０００４】
各スーパーフレームの競合期間（ＣＰ）における分散制御機能（ＤＣＦ）モードにおいて、ＩＥＥＥ８０２．１１システムは、特に時間依存のトラフィックには適切でないランダムアクセスプロトコルである搬送波検知多重アクセス／衝突回避方式（ＣＳＭＡ／ＣＡ）に基づく競合アクセススキームを利用する。各スーパーフレームの随意的な競合フリー期間（ＣＦＰ）中における集中制御機能（ＰＣＦ）において、ＩＥＥＥ８０２．１１システムは、典型的にアクセスポイント（ＡＰ）と同じ場所に位置するポイントコーディネータ（ｐｏｉｎｔ  ｃｏｏｒｄｉｎａｔｏｒ）を備えたポーリングアクセスメカニズムを利用して、帯域幅割当を集中制御する。
【０００５】
ＱｏＳアプリケーションをサポートするため、ＩＥＥＥ８０２．１１ｅは、ハイブリッド制御機能（ＨＣＦ）と呼ばれる新しいモードを追加する。ＨＣＦは、二つのアクセスメカニズム、すなわち、ＣＳＭＡ／ＣＡに基づき、ＱｏＳ能力を備えたステーション（ＱＳＴＡ）に、差別化された（優先度に基づく）媒体へのアクセスの制御を提供するエンハンスド分散制御機能（ＥＤＣＦ）と、典型的にＱｏＳ能力を備えたアクセスポイント（ＱＡＰ）と同じ場所に位置するハイブリッドコントローラ（ＨＣ）が各アクティブコネクションのトラフィックおよびＱｏＳ要求に基づいてＣＰとＣＦＰとの両方の期間中に集中スケジューリングを行うために最高媒体アクセス優先順位およびポーリングを利用するポーリングに基づくモードと、を組み合わせる。
【０００６】
ランダムアクセスではなく集中スケジューリングおよびポーリングによる媒体アクセス制御は、ピアツーピア通信の実現を容易化し、予測される送信および受信を予めステーションに通知する。したがって、従来技術では、サービス品質が強化された媒体アクセス制御内のスケジューリングを改良することが必要である。
【発明の開示】
【課題を解決するための手段】
【０００７】
上記の従来技術の欠点を解決するため、本発明の主な目的は、ＩＥＥＥ８０２．１１ワイヤレスデータ通信システムのハイブリッドコントローラ（ＨＣ）またはワイヤレスステーション（ＷＳＴＡ）内にあるステーション・マネージメント・エンティティ（ＳＭＥ）および／または媒体アクセス制御（ＭＡＣ）サブレイヤ・マネージメント・エンティティ（ＭＬＭＥ）で使用するため、スケジュールサービス品質（ＱｏＳ）アクションフレームに関連してサービス品質（ＱｏＳ）スケジュールエレメント管理手順で用いるプリミティブを提供することである。プリミティブは、ＨＣのＭＬＭＥへの伝送のためのスケジュールＱｏＳアクションフレームからのＷＳＴＡアドレスおよびスケジュールエレメントを使用してＨＣのＳＭＥによって作成された要求プリミティブと、ＨＣのＳＭＥへの伝送のための結果コードを使用してＨＣのＭＬＭＥによって作成された確認プリミティブと、ＷＳＴＡのＳＭＥへの伝送のためのスケジュールエレメントを使用してＷＳＴＡのＭＬＭＥによって作成された指示プリミティブと、を含む。その他の技術的効果は、以下の図面、詳細な説明および特許請求の範囲から当業者に容易に理解できるであろう。
【０００８】
発明の詳細な説明を行う前に、本明細書の全体を通して使用されている単語または句の定義を示す方が好都合であり、用語「含む」および「具備する」は、それらの派生語と共に、限定のない包含関係を表し、用語「または（ｏｒ）」は包括的であり、「および／または」の意味であり、句「〜に関連付けられた」および「〜が関連付けられた」は、それらの派生句と共に、内部に含まれること、相互に関連すること、収容すること、収容されること、接続することもしくは連絡すること、結合することもしくは連結すること、伝達可能であること、協働すること、インターリーブすること、並列すること、近似すること、拘束されることもしくは密接に関係すること、有すること、特性をもつことなどを含み、用語「コントローラ」は、少なくとも一つのオペレーションを制御するあらゆる装置、システム、もしくは、それらの一部を表し、このような装置は、ハードウェア、ファームウェア、ソフトウェア、もしくは、それらのうちの少なくとも二つの組み合わせで実施される。特定のコントローラに関連付けられた機能は集中方式でも分散方式でもよく、局部的でも遠隔的でもかまわないことに注意すべきである。ある種の単語および句の定義は本明細書の至る所で行われ、当業者はこのような定義が、大部分ではなくても、多数の事例において、このように定義された単語および句の従来の用法および将来の用法に当てはまることを認めるであろう。
【０００９】
本発明およびその利点をより完全に理解するため、次に、同じ番号が同じ対象を示す添付図面と共に以下の詳細な説明が参照される。
【発明を実施するための最良の形態】
【００１０】
以下に説明する図１〜３Ｃと、本明細書において本発明の原理を説明するため使用される様々な実施形態は、例示だけを目的とするものであり、いかなる意味においても本発明の範囲を限定するものとみなされるべきではない。当業者は本発明の原理が適切に配置されたどのような装置でも実施されることを認めるであろう。
【００１１】
図１は本発明の一実施形態によるスケジュールサービス品質アクションフレームの送信／受信をサポートするため媒体アクセス制御シグナリングを利用するワイヤレス通信システムを表す。ワイヤレス通信システム１００はＩＥＥＥ８０２．１１規格に準拠して実施され、以下で詳述されるＩＥＥＥ８０２．１１ｅ規格に規定された付加的なサービス品質（ＱｏＳ）機能および／または修正を含む。したがって、この典型的な実施形態におけるワイヤレス通信システム１００は複数のワイヤレスネットワーク１０１、１０２および１０３を含み、各ワイヤレスネットワークはそれぞれ、相互にワイヤレス通信を行う多数のステーション（ＳＴＡ）１０４−１０５、１０６−１０７および１０８−１０９を含む基本サービスセット（ＢＳＳ）ネットワークを具備する。ワイヤレスネットワーク１０１は、相互にワイヤレス通信を行うステーション１０４−１０５だけを含み、各ステーションが（オープンシステムまたは共有鍵）認証サービス、デ・オーセンティケーション（de-authentication）サービス、および、有線同等プライバシー保護（ＷＥＰ）アルゴリズムおよびデータ配信を利用する（オプションの）プライバシーサービスなどのステーションサービス（ＳＳ）を提供する。ワイヤレスネットワーク１０１は、このように独立した基本サービスセット（ＩＢＳＳ）ネットワークを形成する。
【００１２】
ワイヤレスネットワーク１０２および１０３は、これに対して、それぞれが少なくとも１台のステーション１０７および１０８をそれぞれに含み、二つのワイヤレスネットワーク１０２および１０３をつなぐ配信システム（ＤＳ）１１０へのアクセスポイント（ＡＰ）としての役割を果たす。配信システム１１０は、アクセスポイントが、それぞれの基本サービスネットワーク内にあるステーションのためのフレームを交換するために相互通信し、一方の基本サービスセットネットワークから別の基本サービスセットネットワークへ移動する移動ステーションを追跡するためにフレームを転送し、オプションとして外部／有線ネットワーク（統合サービス）とフレームを交換するために適当な手段であればどのようなものでもよい。配信システム１１０は、したがって、ＩＥＥＥ８０２．Ｘネットワークのような有線ローカルエリアネットワーク（ＬＡＮ）であり、Ｘは有線ネットワークに適用できるＩＥＥＥ８０２．１１以外の規格、または、ＩＥＥＥ８０３．２ネットワークを表す。
【００１３】
ワイヤレスネットワーク１０２および１０３内にあるステーション１０６および１０９はワイヤレスネットワーク１０１内にあるステーション１０４−１０５のようなステーションサービスだけを提供し、ワイヤレスネットワーク１０２および１０３内にあるステーション１０７および１０８は両方のステーションサービスを提供し、配信システム１１０に関連して、アソシエーション、アソシエーション解除、再アソシエーション、配信および統合のような配信システムサービス（ＤＳＳ）を提供する。ワイヤレスネットワーク１０２および１０３は、したがって、インフラストラクチャ基本サービスセットネットワークを形成し、配信システム１１０と一緒に拡張サービスセット（ＥＳＳ）ネットワーク１１１を形成する。
【００１４】
ＩＥＥＥ８０２．１１に準拠して、ワイヤレスネットワーク１０１−１０３内のワイヤレス通信は、搬送波検知多重アクセス／衝突回避方式（ＣＳＭＡ／ＣＡ）を利用する非同期型、ベストエフォート型、コネクションレス型データ配信を行うため、媒体アクセス制御（ＭＡＣ）レイヤおよび物理（ＰＨＹ）レイヤを使用する。上記のように、本発明におけるワイヤレスネットワーク１０２−１０３は、文書ＩＥＥＥ８０２．１１−０２／６５０ｒ０（２００２年１１月）に規定された修正を含むＩＥＥＥ８０２．１１ｅドラフト３．３規格にも準拠する。したがって、ステーション１０７および１０８はＱｏＳ能力を備えたアクセスポイント（ＱＡＰ）であり、ステーション１０６および１０９はＱｏＳ能力を備えたステーション（ＷＳＴＡ）である。
【００１５】
当業者はワイヤレスシステムの全部の構造および動作が完全に詳細な形で表現もしくは記述されていないことに気付くであろう。その代わりに、簡単さと明瞭さのため、本発明に固有であるか、または、本発明を理解するために必要であるようなワイヤレスネットワークの構造および動作だけが本明細書で表現、記述される。
【００１６】
図２は本発明の一実施形態によるスケジュールサービス品質アクションフレームの送信／受信をサポートする媒体アクセス制御シグナリングに利用されるワイヤレス通信システムの要素を詳細に表す。典型的な実施形態ではＱＡＰ１０７−１０８のうちの一つの内部に実施されるハイブリッドコントローラ（ＨＣ）、および、着目中のワイヤレスステーション（ＷＳＴＡ）の両方に利用される階層化されたシステム２００は、ＭＡＣサブレイヤ・マネージメント・エンティティ（ＭＬＭＥ）２０１とステーション・マネージメント・エンティティ（ＳＭＥ）２０２を含む。ＳＭＥ２０２は、ネットワークスタック内にあるすべてのレイヤ、すなわち、物理（ＰＨＹ）レイヤ、ＭＡＣレイヤなどと通信する能力を備えた論理エンティティである。ＭＬＭＥ２０１はＭＡＣレイヤを管理し、ＳＭＥ２０２との相互作用を制御し、ステーション内通信によってＳＭＥ２０２と通信し、ステーション間通信によって他のステーションのＭＬＭＥと通信する。
【００１７】
参照によって本明細書に内容が組み込まれた上記の文書ＩＥＥＥ８０２．１１−０２／６５０ｒ０に規定されているように、スケジューリングＱｏＳ伝送の一部として、ＨＣはスケジュールエレメントを含むスケジュールＱｏＳアクションフレームを対応したＷＳＴＡへ送信する。本発明によれば、スケジュールＱｏＳアクションフレーム内のＱｏＳスケジュールエレメントの作成および／またはＱｏＳスケジュールエレメントに基づく振る舞いと関連付けられたマネージメントプロセスは、以下で詳述されるように、一つ以上のシグナリングプリミティブ、すなわち、ＭＬＭＥ−ＳＣＨＥＤＵＬＥ．リクエスト（ｒｅｑｕｅｓｔ）、ＭＬＭＥ−ＳＣＨＥＤＵＬＥ．ｃｏｎｆｉｒｍ、および、ＭＬＭＥ−ＳＣＨＥＤＵＬＥ．ｉｎｄｉｃａｔｉｏｎの使用を伴う。
【００１８】
ＭＬＭＥ−ＳＣＨＥＤＵＬＥ．ｒｅｑｕｅｓｔプリミティブはＨＣで有効であり、スケジュールＱｏＳアクションフレームの送信を要求し、以下のパラメータ、
ＭＬＭＥ−ＳＣＨＥＤＵＬＥ．ｒｅｑｕｅｓｔ（
ＷＳＴＡアドレス
スケジュールエレメント
）
を含み、許容可能なパラメータ値は表Ｉに要約されている。
【表１】
0004824405.tif 000002
【００１９】
ＭＬＭＥ−ＳＣＨＥＤＵＬＥ．ｒｅｑｕｅｓｔシグナリングプリミティブは、ＷＳＴＡのスケジュール情報が変更されたとき、スケジュールＱｏＳアクションフレームの形式で、ＭＬＭＥ２０１から、指定されたＷＳＴＡへスケジューリング情報を送信するため、ＨＣにおいてＳＭＥ２０２によって生成される。
【００２０】
ＭＬＭＥ−ＳＣＨＥＤＵＬＥ．ｃｏｎｆｉｒｍプリミティブはＭＬＭＥ−ＳＣＨＥＤＵＬＥ．ｒｅｑｕｅｓｔの結果を報告し、以下のパラメータ、
ＭＬＭＥ−ＳＣＨＥＤＵＬＥ．ｃｏｎｆｉｒｍ（
結果コード
）
を含み、許容可能なパラメータ値は表IIに要約されている。
【表２】
0004824405.tif 000003
【００２１】
ＭＬＭＥ−ＳＣＨＥＤＵＬＥ．ｃｏｎｆｉｒｍシグナリングプリミティブは、アクションが終了するとき、ＭＬＭＥ−ＳＣＨＥＤＵＬＥ．ｒｅｑｕｅｓｔの結果をＳＭＥ２０２に通知するため、ＭＬＭＥ−ＳＣＨＥＤＵＬＥ．ｒｅｑｕｅｓｔの結果としてＭＬＭＥ２０１によって生成される（たとえば、結果が成功であるならば、スケジュールエレメントはスケジュールＱｏＳアクションフレームでＷＳＴＡへＨＣによって送信される。）。
【００２２】
ＭＬＭＥ−ＳＣＨＥＤＵＬＥ．ｉｎｄｉｃａｔｉｏｎプリミティブはＷＳＴＡで有効であり、スケジュールＱｏＳアクションフレームの形式でＷＳＴＡによる新しいスケジュールの受信を報告し、以下のパラメータ、
ＭＬＭＥ−ＳＣＨＥＤＵＬＥ．ｉｎｄｉｃａｔｉｏｎ（
スケジュールエレメント
）
を含み、許容可能なパラメータ値は表IIIに要約されている。
【表３】
0004824405.tif 000004
【００２３】
ＭＬＭＥ−ＳＣＨＥＤＵＬＥ．ｉｎｄｉｃａｔｉｏｎシグナリングプリミティブは、スケジュールＱｏＳアクションフレームの形式のＱｏＳスケジュールの受信をＳＭＥ２０２へ通知するため、スケジュールＱｏＳアクションフレームの形式の新しいスケジュールの受信の結果としてＭＬＭＥ２０１によって生成される。新しいスケジュールエレメントパラメータは先に記憶されている値を書き換える。
【００２４】
図３Ａ〜３Ｃは本発明の一実施形態によるスケジュールサービス品質アクションフレームの送信／受信をサポートする媒体アクセス制御シグナリングのプロセスを説明する上位レベルフローチャートである。図３Ａは要求プリミティブ（ＭＬＭＥ−ＳＣＨＥＤＵＬＥ．ｒｅｑｕｅｓｔ）の使用を図解する。プロセス３００はハイブリッドコントローラを含むデータ通信ネットワークに参加するワイヤレスステーションのため発生するスケジュール変更から始まる（ステップ３０１）。ＨＣのＳＭＥは要求プリミティを生成し（ステップ３０２）、プリミティブをＨＣのＭＬＭＥへ送信する（ステップ３０３）。ＨＣのＭＬＭＥは、次に、スケジュールエレメント、および、スケジュールエレメントを収容するスケジュールＱｏＳアクションフレームを作成し、ＨＣのＭＡＣからＷＳＴＡへ、作成されたスケジュールＱｏＳアクションフレームを送信する（ステップ３０４）。プロセス３００は次に、参加するワイヤレスステーションにおける別のスケジュール変更が発生するまでアイドル状態になる。
【００２５】
図３Ｂは確認プリミティブ（ＭＬＭＥ−ＳＣＨＥＤＵＬＥ．ｃｏｎｆｉｒｍ）の使用を図解する。プロセス３０６は、要求プリミティブがＨＣのＳＭＥによって送信され、ＨＣのＭＬＭＥによって受信されることから始まる（ステップ３０７）。要求によって生成された結果は判定され（ステップ３０８）、次に、その結果を格納する確認プリミティブがＨＣのＭＬＭＥによって作成され（ステップ３０９）、ＨＣのＳＭＥへ送信される（ステップ３１０）。プロセス３０６は次に、別の要求プリミティブが受信されるまでアイドル状態になる。
【００２６】
図３Ｃは指示プリミティブ（ＭＬＭＥ−ＳＣＨＥＤＵＬＥ．ｉｎｄｉｃａｔｉｏｎ）の使用を図解する。プロセス３１２は、スケジュールＱｏＳアクションフレームがＷＳＴＡのＭＬＭＥによって受信されることから始まる（ステップ３１３）。受信されたスケジュールＱｏＳアクションフレームからのスケジュールエレメントを格納する指示プリミティブはＷＳＴＡのＭＬＭＥによって作成され（ステップ３１４）、ＷＳＴＡのＳＭＥへ送信される（ステップ３１５）。プロセス３１２は次に、別のスケジュールＱｏＳアクションフレームが受信されるまでアイドル状態になる。
【００２７】
本発明は、スケジュールＱｏＳアクションフレーム内のスケジュールエレメントを取り扱うため要求されるＨＣまたはＷＳＴＡのＭＬＭＥ内で必要なマネージメントプロセスのシグナリングプリミティブを提供する。
【００２８】
本発明は完全に機能的なシステムの状況で説明されているが、当業者は本発明のメカニズムの少なくとも一部分が多種多様な形式で命令を格納するマシン使用可能な媒体の形式で分散させ得ることを認識すること、並びに、本発明は実際に配信を実行するため利用される特定の信号搬送媒体のタイプとは無関係に同じように適用されることに注意することが重要である。マシン使用可能な媒体の例には、読み出し専用メモリ（ＲＯＭ）または電気的消去可能なプログラマブル読み出し専用メモリ（ＥＥＰＲＯＭ）のような不揮発性のハードコードタイプの媒体、フレキシブルディスク、ハードディスクドライブ、および、コンパクトディスク読み出し専用メモリ（ＣＤ−ＲＯＭ）またはデジタル多用途ディスク（ＤＶＤ）のような記録可能型媒体、並びに、デジタル式とアナログ式の通信リンクおよびフレームまたはパケットのような伝送タイプの媒体が含まれる。
【００２９】
本発明は詳細に説明されているが、当業者は本明細書に開示された本発明の種々の変更、置換、変形、機能強化、微妙な違い、段階的変化、より重要でない形式、代替、改定、改良および模倣が最も広い形式で本発明の精神および範囲から逸脱することなくなされることを認めるであろう。
【図面の簡単な説明】
【００３０】
【図１】本発明の一実施形態によるスケジュールサービス品質アクションフレームの送信／受信をサポートするため媒体アクセス制御シグナリングを利用するワイヤレス通信システムを表す図である。
【図２】本発明の一実施形態によるスケジュールサービス品質アクションフレームの送信／受信をサポートする媒体アクセス制御シグナリングに利用されるワイヤレス通信システムの要素をより詳細に表す図である。
【図３Ａ】本発明の一実施形態によるスケジュールサービス品質アクションフレームの送信／受信をサポートする媒体アクセス制御シグナリングのプロセスを説明する上位レベルフローチャートである。
【図３Ｂ】本発明の一実施形態によるスケジュールサービス品質アクションフレームの送信／受信をサポートする媒体アクセス制御シグナリングのプロセスを説明する上位レベルフローチャートである。
【図３Ｃ】本発明の一実施形態によるスケジュールサービス品質アクションフレームの送信／受信をサポートする媒体アクセス制御シグナリングのプロセスを説明する上位レベルフローチャートである。
【図１】
0004824405.tif 000005
【図２】
0004824405.tif 000006
【図３Ａ】
0004824405.tif 000007
【図３Ｂ】
0004824405.tif 000008
【図３Ｃ】
0004824405.tif 000009